(57)【要約】【課題】  画像データを複数の記録メディアに同時に記録する記録装置で、バックアップの負担を軽減する。【解決手段】  記録メディア制御部１０８は、画像データ作成部１１２からの画像データを記録メディア１０６，１０７に同時記録する。記録メディアチェック部１１０は、同時記録時に、記録メディア１０６，１０７の記録異常をチェックする。画像データ同一判定部１０９は、記録メディア１０６，１０７に記録された画像データの同一を判定する。記録異常が検出されず、且つ記録画像データが同一の場合、主制御部１０１は、記録メディアチェック部１１０のチェック結果及び画像データ同一判定部１０９の判定結果に従い、記録メディア１０６，１０７に記録された画像データの転送属性に未転送属性又は転送済み属性を設定する。差分バックアップの場合、未転送属性の画像データをバックアップし、転送済み属性のものをバックアップしない。【選択図】  図１
2015220656.tif 000002
【特許請求の範囲】
【請求項１】
画像データをメイン記録先メディア及び１以上のサブ記録先メディアに同時記録する記録手段と、
前記メイン記録先メディア及び前記１以上のサブ記録先メディアへの記録異常をチェックするチェック手段であって、前記メイン記録先メディアに前記記録異常が検出された場合、前記メイン記録先メディア及び前記１以上のサブ記録先メディアの全てに記録異常の判定結果を記憶するチェック手段と、
前記メイン記録先メディア及び前記１以上のサブ記録先メディアに同時記録された画像データの同一性を判定する同一判定手段と、
前記チェック手段のチェック結果及び前記同一判定手段の判定結果に従い、画像データを前記メイン記録先メディア及び前記１以上のサブ記録先メディアに同時記録された前記画像データの、バックアップの要否を示す転送属性を設定する転送属性操作手段
とを有することを特徴とする記録装置。
【請求項２】
前記転送属性操作手段は、
前記チェック手段によるチェックで記録異常が検出されず、且つ前記同一判定手段による判定結果が同一を示す場合に、前記メイン記録先メディアに記録された画像データに未転送属性を設定し、前記１以上のサブ記録先メディアのうちの、前記同一判定手段による前記判定結果が同一を示すサブ記録先メディアに記録された画像データに転送済み属性を設定する
ことを特徴とする請求項１に記載の記録装置。
【請求項３】
前記転送属性操作手段は、
前記メイン記録先メディア及び前記１以上のサブ記録先メディアのうち、前記チェック手段によるチェックで前記記録異常の判定結果が記憶される記録先メディアに記録される画像データに未転送属性を設定し、
前記チェック手段によるチェックで前記記録異常が検出されず、且つ前記同一判定手段による判定結果が同一でないことを示す場合、前記メイン記録先メディアに記録された画像データと、前記１以上のサブ記録先メディアのうちの、前記同一判定手段による前記判定結果が同一でないことを示すサブ記録先メディアに記録された画像データの両方に未転送属性を設定する
ことを特徴とする請求項１又は２に記載の記録装置。
【請求項４】
前記チェック手段は、前記記録異常として、記録先メディアの空き容量、記録のためのバッファへのデータの一時記憶の失敗、書込み失敗、読み出し失敗、記録先メディアへの接続断及び記録すべき画像データの不足の何れか１つ以上をチェックすることを特徴とする請求項１から３のいずれか１項に記載の記録装置。
【請求項５】
前記同一判定手段は、前記メイン記録先メディアに記録される画像データと、前記サブ記録先にメディアに記録される画像データとの間で、データ内容、チェックサム、画像データ名、サイズ、記録開始時刻、記録停止時刻及び識別情報の１以上により同一を判定することを特徴とする請求項１から４のいずれか１項に記載の記録装置。
【請求項６】
更に、前記画像データを前記記録手段に供給する撮像手段を具備することを特徴とする請求項１から５の何れか１項に記載の記録装置。
【請求項７】
画像データをメイン記録先メディア及び１以上のサブ記録先メディアに同時記録する記録装置の制御方法であって、
前記メイン記録先メディア及び前記１以上のサブ記録先メディアへの記録異常をチェックするチェックステップであって、前記メイン記録先メディアに前記記録異常が検出された場合、前記メイン記録先メディア及び前記１以上のサブ記録先メディアの全てに記録異常の判定結果を記憶するチェックステップと、
前記メイン記録先メディア及び前記１以上のサブ記録先メディアに同時記録された画像データの同一性を判定する同一判定ステップと、
前記チェックステップのチェック結果及び前記同一判定ステップの判定結果に従い、画像データを前記メイン記録先メディア及び前記１以上のサブ記録先メディアに同時記録された前記画像データの、バックアップの要否を示す転送属性を設定する転送属性操作ステップ
とを有することを特徴とする記録装置の制御方法。
【請求項８】
画像データをメイン記録先メディア及び１以上のサブ記録先メディアに同時記録する記録手段と、
前記メイン記録先メディア及び前記１以上のサブ記録先メディアに同時記録された画像データの同一性を判定する同一判定手段と、
前記同一判定手段の判定結果に従い、画像データを前記メイン記録先メディア及び前記１以上のサブ記録先メディアに同時記録された前記画像データの、バックアップの要否を示す転送属性を設定する転送属性操作手段とを有し、
前記転送属性操作手段は、前記同一判定手段による判定結果が同一を示す場合に、前記メイン記録先メディアに記録された画像データに未転送属性を設定し、前記１以上のサブ記録先メディアのうちの、前記同一判定手段による前記判定結果が同一を示すサブ記録先メディアに記録された画像データに転送済み属性を設定する
ことを有することを特徴とする記録装置。
【請求項９】
画像データをメイン記録先メディア及び１以上のサブ記録先メディアに同時記録する記録ステップと、
前記メイン記録先メディア及び前記１以上のサブ記録先メディアに同時記録された画像データの同一性を判定する同一判定ステップと、
前記同一判定ステップの判定結果に従い、画像データを前記メイン記録先メディア及び前記１以上のサブ記録先メディアに同時記録された前記画像データの、バックアップの要否を示す転送属性を設定する転送属性操作ステップとを有し、
前記転送属性操作ステップは、前記同一判定ステップによる判定結果が同一を示す場合に、前記メイン記録先メディアに記録された画像データに未転送属性を設定し、前記１以上のサブ記録先メディアのうちの、前記同一判定手段による前記判定結果が同一を示すサブ記録先メディアに記録された画像データに転送済み属性を設定する
ことを有することを特徴とする記録装置の制御方法。
【発明の詳細な説明】
【技術分野】
【０００１】
本発明は、記録装置及びその制御方法に関し、より具体的には、画像データを二つ以上の記録メディアに同時記録する記録装置及びその制御方法に関する。
【背景技術】
【０００２】
記録データの保護のために、データを２つの記録媒体に記録する手法が知られている。撮像装置においても、画像データを複数の記録媒体に同時に記録する製品が販売されている。このような製品では、撮影後に同一の画像データが複数の記録媒体に重複して保存された状態となる。
【０００３】
データをバックアップする場合、重複するバックアップの制御もまた重要になってくる。画像データの重複バックアップを防ぐ技術として、バックアップ対象の画像データと同じデータがバックアップ先ボリュームにあるかどうかを調べ、同一データがある場合にバックアップを行わない技術が、特許文献１に記載されている。
【０００４】
また、バックアップ済み画像データの識別情報をリストとして保持しておき、バックアップの前に当該リストを参照し、当該リストに無い画像データをバックアップすることが、特許文献２に記載されている。
【先行技術文献】
【特許文献】
【０００５】
【特許文献１】特開２００６−９２２６８号公報
【特許文献２】特開平０５−１２０１０９号公報
【発明の概要】
【発明が解決しようとする課題】
【０００６】
特許文献１に記載の技術では、バックアップ対象画像データとバックアップ済み画像データの同一性を確認するので、バックアップ済み画像データの数が多い場合、又は、データサイズが大きい場合に、処理負荷が増大する。また、処理時間も長くなってしまう。
【０００７】
特許文献２に記載の技術では、バックアップ済み画像データの識別情報を格納するリストが、バックアップを重ねるにつれ大きくなってしまい、これもまた、処理負荷を増大させ、処理時間を長くしてしまう。
【０００８】
本発明は、バックアップ管理の負荷が軽く短時間で処理可能な記録装置及びその制御方法を提示することを目的とする。
【課題を解決するための手段】
【０００９】
本発明に係る記録装置は、画像データをメイン記録先メディア及び１以上のサブ記録先メディアに同時記録する記録手段と、前記メイン記録先メディア及び前記１以上のサブ記録先メディアへの記録異常をチェックするチェック手段であって、前記メイン記録先メディアに前記記録異常が検出された場合、前記メイン記録先メディア及び前記１以上のサブ記録先メディアの全てに記録異常の判定結果を記憶するチェック手段と、前記メイン記録先メディア及び前記１以上のサブ記録先メディアに同時記録された画像データの同一性を判定する同一判定手段と、前記チェック手段のチェック結果及び前記同一判定手段の判定結果に従い、画像データを前記メイン記録先メディア及び前記１以上のサブ記録先メディアに同時記録された前記画像データの、バックアップの要否を示す転送属性を設定する転送属性操作手段とを有することを特徴とする。
【発明の効果】
【００１０】
本発明によれば、同時記録の際に画像データの記録異常のチェック結果と画像データの同一判定結果により、記録先メディアに記録された画像データの転送属性を設定するので、軽負荷で適切な差分バックップを実現できる。
【図面の簡単な説明】
【００１１】
【図１】本発明の一実施例の概略構成ブロック図である。
【図２】本実施例の動作フローチャートである。
【図３】記憶部に記憶されるデータ例を示す模式図である。
【図４】本実施例の別の動作フローチャートである。
【発明を実施するための形態】
【００１２】
以下、図面を参照して、本発明の実施例を詳細に説明する。
【実施例１】
【００１３】
図１は、本発明に係る記録装置の一実施例の概略構成ブロック図を示す。
【００１４】
主制御部１０１は、図１に示す記録装置１００の全体を制御し、記録メディア制御部１０８、画像データ同一判定部１０９、記録メディアチェック部１１０、転送属性操作部１１１及び画像データ作成部１１２から構成される。記憶部１０２はＲＡＭなどから構成され、主制御部１０１が一時的にデータを記憶するために使用される。
【００１５】
操作部１０３はユーザが種々の指示を主制御部１０１に入力するためのものであり、ボタン、スイッチ及びタッチパネルなどで構成される。ユーザは、操作部１０３により、記録先メディアの選択及び記録開始の指示を主制御部１０１に維持できる。
【００１６】
出力部１０４は、液晶表示（ＬＣＤ）パネルなどから構成され、主制御部１０１からの設定内容、警告及び状況等を表示する。出力部１０４はまた、記録前の画像及び記録中の画像等の画像を表示できる。
【００１７】
撮像部１０５は、光学レンズ、撮像素子及び画像処理部などで構成され、被写体の光学像から画像データを生成し、画像データ作成部１１２に供給する。
【００１８】
記録メディア１０６，１０７はフラッシュメモリ、メモリーカード、ハードディスク、光ディスク又は磁気テープ等の記録媒体からなる。詳細は後述するが、記録メディア制御部１０８は、画像データ作成部１１２で作成された画像データ及び後述する同時記録サブ情報を記録メディア１０６，１０７に記録する。２つの記録メディア１０６，１０７は例示であり、３つ以上の記録メディアを使用してもよい。記録メディア制御部１０８は、記録装置１００に内蔵又は接続される記録メディアにデータを読み書きでき、この記録メディアの状態を検出できる。
【００１９】
なお、本願における「同時」とは、必ずしも同じタイミングで複数のメディアに並行的にデータを記録するという狭い意味には限定されない。１回の記録操作により複数のメディアにデータが記録されればよく、ミクロのタイミングで厳密に見た場合には記録メディア毎に順次データが記録される場合も本願でいう同時記録に該当する。
【００２０】
画像データ同一判定部１０９は、記録メディア制御部１０８が読み書きを管理する記録メディア（ここでは、記録メディア１０６，１０７）に記録されている画像データが同一か否かを判定する。判定方法としては、データ内容、チェックサム、データサイズ、記録開始時刻、記録停止時刻及び識別情報のうちの１以上の一致を確認する。
【００２１】
記録メディアチェック部１１０は、記録メディア制御部１０８が制御している記録メディア１０６，１０７の記録異常の有無をチェックする。記録異常の詳細は後述する。
【００２２】
転送属性操作部１１１は、記憶部１０２に記憶される情報を参照して、記録メディア制御部１０８が制御している記録メディア１０６，１０７に記録されている画像データの、バックアップの要否を示す転送属性を操作・設定する。
【００２３】
画像データ作成部１１２は、撮像部１０５から出力される画像データを、記録メディア１０６，１０７への記録に適したデータ形式に変換して、記録メディア制御部１０８に供給する。画像データ作成部１１２は例えば、画像データを圧縮符号化する符号化装置である。
【００２４】
図２及び図３を参照して、記録装置１００の動作を説明する。図２は、同時記録の際の「記録先メディアの決定」から「転送属性の操作」までの処理の動作フローチャートを示す。図３は、記憶部１０２に記憶される情報例を示す。
【００２５】
主制御部１０１は出力部１０４に記録先を指定する旨のメッセージを表示して、ユーザにメイン記録先メディアとサブ記録先メディアの指定を促す（Ｓ２０１）。ここでは、ユーザが操作部１０３により、記録メディア１０６をメイン記録先メディアと指定し、記録メディア１０７をサブ記録先メディアと指定したとする。もちろん、既に記録先メディアが設定されている場合はこれに従う。主制御部１０１は、メイン記録先メディアおよびサブ記録先メディア示す情報を記録先メディア情報３０１として記憶部１０２に記憶する。このとき、主制御部１０１は、サブ記録先メディアに記録された画像データが差分バックアップ対象外である旨のメッセージを出力部１０４に表示してユーザに通知しても良い。
【００２６】
主制御部１０１は、記録開始トリガを監視する（Ｓ２０２）。記録開始トリガは例えば、操作部１０３の記録開始ボタンのユーザによる押下である。他には、記録開始をタイマ制御している場合のタイマの満了、撮像部１０５の画像処理装置が撮影対象の予め設定された変化を検知する場合のその検知出力、及び外部制御手段からの記録開始の指示信号等が、記録開始トリガとなりうる。
【００２７】
主制御部１０１は、記録開始トリガを検出すると（Ｓ２０２）、画像データの記録を開始する（Ｓ２０３）。すなわち、主制御部１０１の画像データ作成部１１２は、撮像部１０５からの画像データを記録用に処理し、記録メディア制御部１０８は、画像データ作成部１１２の出力画像データを記録メディア１０６，１０７の両方に同時に記録する。このとき、主制御部１０１は、同時記録サブ情報３０２を記憶部１０２に格納する。同時記録サブ情報３０２は、サブ記録先メディア１０７に同時記録した画像データの識別情報（画像データ番号等）と、サブ記録先メディア１０７を特定するメディア識別子から構成される。
【００２８】
主制御部１０１は、記録停止トリガを監視し（Ｓ２０４）、記録停止トリガを検出するまで、画像データ記録（Ｓ２０３）を継続する。動画の場合には、ユーザによる操作部１０３の記録停止ボタンの操作が記録停止トリガとなりうる。一定時間の記録が設定されている場合、その時間の経過が記録停止トリガとなり得る。静止画の場合、１回の記録の終了が記録停止トリガとなり、連写の場合には、連写の終了操作又は規定の連写回数の経過が記録停止トリガとなる。
【００２９】
記録メディア制御部１０８が記録メディア１０６，１０７の異常検出を主制御部１０１に通知した場合も、この通知が記録停止トリガとなり得る。記録メディアの異常には、例えば、以下の６つのケースがありうる。
【００３０】
第１のケースは、記録先メディアの空き容量がなくなった場合である。記録先メディアの空き容量が予め決めた閾値以下になったことを記録停止トリガとする。空き容量として、ｓｔａｔｆｓ関数で取得できる容量を使用しても良いし、高ｂｉｔｒａｔｅの動画記録が保障された連続した領域の空き容量を使用しても良い。また、閾値は全く余裕のない０ｂｙｔｅとしても良いし、ある程度の余裕を持たせた値としても良い。
【００３１】
第２のケースは、バッファオーバーフローが発生した場合である。記録メディア制御部１０８は、画像データ作成部１１２からの画像データを内蔵バッファに一時記憶しつつ、記録メディア１０６，１０７に書き込む。記録メディア１０６，１０７への書き込みが遅かったり、記録メディア１０６，１０７への書き込み制御に失敗すると、その内蔵バッファでオーバーフローが発生し、記録メディア１０６，１０７への画像データの書き込みに失敗する。このような記録失敗が、記録停止トリガとなる。
【００３２】
第３のケースは、記録メディア１０６，１０７への書込み／読出しでエラーが発生した場合である。記録先メディアに書込み／読出し処理を行う中で、コマンドの応答がこない、応答でエラーが通知される又はデータのＣＲＣエラーが発生するなどの現象の発生をもって記録停止トリガとする。
【００３３】
第４のケースは、記録メディア１０６，１０７が抜かれたり、記録メディア１０６，１０７の記録メディア制御部１０８への接続が切断されたことを、記録停止トリガとする。
【００３４】
第５のケースは、動作仕様により記録停止する場合である。例えば、記録先メディアのカバーが開けられるなどにより当該記録先メディアへの接続断となった場合、動作モードの切替えが発生した場合、電源オフが通知された場合、又は画像データが規定の数やデータ量に達した場合等に、記録停止トリガとする。
【００３５】
第６のケースは、画像データ作成部１１２からの信号が途絶えた場合、即ち記録すべき画像データが不足した状態である。連続的に受信すべき画像データが受信できない場合、異常と判定し、記録停止トリガとする。
【００３６】
記録停止後、記録メディアチェック部１１０が、記録メディア制御部１０８の動作状況により、Ｓ２０１で決定した各記録先メディア１０６，１０７をチェックする（Ｓ２０５）。例えば、記録メディアチェック部１１０は、記録中に異常が発生していないか、画像データが正常に記録できたかなどを、各記録先メディア１０６，１０７についてチェックする。記録失敗を含めて記録の異常の発生の有無は、画像データ記録（Ｓ２０３）の際に同時に行っても良いし、同時に行った結果を記憶しＳ２０５で判断しても良い。
【００３７】
記録メディアチェック部１１０は、記録先メディア１０６，１０７毎のチェック結果を記録メディアチェック情報０３０３として記憶部１０２に記憶する。例えば、異常が発生せず正常に記録できた場合、チェック結果として”ＯＫ”を記憶部１０２に書込み、異常が発生したり正常に記録できなかった場合は”ＮＧ”を記憶部１０２に書き込む。記録中に記録先メディアとして追加された記憶メディア、及び、記録中に記録先メディアから除外された記録メディアについては、記録先メディアチェック結果として”ＮＧ”を書き込む。
【００３８】
画像データ同一判定部１０９が、メイン記録先メディアに記録した画像データとサブ記録先メディアに記録した画像データが同一かどうかを判定する（Ｓ２０６）。例えば、データ内容、画像データ名、チェックサム、サイズ、記録開始時刻、記録停止時刻及び識別情報の１以上について同一性を調べ、最終的に同一かどうかを判定する。画像データ同一判定部１０９は、判定結果が同一を示す場合、画像データ同一判定結果として”ＯＫ”を、同一でない場合は”ＮＧ”を、サブ記録先メディア毎に画像データ同一判定情報３０４として記憶部１０２に記憶する。メイン記録先メディアの記録先メディアチェック結果が”ＮＧ”を示す場合、サブ記録先メディアの画像データ同一判定結果を”ＮＧ”とする。また、サブ記録先メディアの記録先メディアチェック結果が”ＮＧ”を示す場合、サブ記録先メディアの画像データ同一判定結果を”ＮＧ”とする。
【００３９】
主制御部１０１は、ステップＳ２０５，Ｓ２０６の結果に基づいて、転送属性を操作する（Ｓ２０７）。具体的には、記憶部１０２に記憶されている画像データ同一判定情報３０４が”ＯＫ”である場合、主制御部１０１は、メイン記録先メディアに記録された画像データに未転送属性を設定し、サブ記録先メディアに記録された画像データに転送済み属性を設定する。画像データ同一判定情報３０４が”ＮＧ”である場合は、主制御部１０１は、メイン記録先メディアに記録された画像データとサブ記録先メディアに記録された画像データの両方に未転送属性を設定する。
【００４０】
このような制御により、同時記録に成功した場合には、メイン記録先メディアの画像データには未転送属性が設定され、サブ記録先メディアの画像データには転送済み属性が設定される。そして転送属性を参照した差分バックアップを行う際に、メイン記録先メディアの画像データには未転送属性が設定されているのでバックアップが行われ、サブ記録先メディアの画像データには転送済み属性が設定されているのでバックアップが行われない。このように、本実施例では、バックアップ時に、処理負荷の大きい画像データの同一判定やリスト検索処理を行う必要無しに、バックアップ対象画像データの転送属性を参照するだけで重複バックアップを防止できる。
【００４１】
更には、ステップＳ２０３で保存した同時記録サブ情報を利用することで、差分バックアップ時に、バックアップ対象外の画像データの存在をユーザに示すことができる。
【００４２】
同時記録に失敗した場合、本実施例では、メイン記録先メディアの画像データとサブ記録先メディアの画像データに未転送属性が設定される。転送属性を参照した差分バックアップを行う際に、メイン記録先メディアの画像データ及びサブ記録先メディアの画像データには共に未転送属性が設定されているので、両画像データ共にバックアップが行われる。これにより、同時記録に失敗して異なる内容となった画像データを全てバックアップすることが出来る。
【実施例２】
【００４３】
メイン記録先メディアが一つ、サブ記録先メディアが二つである場合に適用する動作を説明する。図４は、そのような動作のための制御フローチャートを示す。記憶部１０２には、図３に示す情報が記憶される。なお、ステップＳ４０１はサブ記録先メディアを１つでなく２つ選択することを除いてＳ２０１と同じであり、Ｓ４０２〜Ｓ４０５はそれぞれステップＳ２０２〜Ｓ２０５と同じ処理になるので、詳細な説明を省略する。
【００４４】
ステップＳ４０６では、画像データ同一判定部１０９が、メイン記録先メディアに記録した画像データと２つのサブ記録先メディアに記録した画像データが同一かどうかを判定する。例えば、データ内容、画像データ名、チェックサム、サイズ、記録開始時刻、記録停止時刻及び識別情報の１以上について同一性を調べ、最終的に同一かどうかを判定する。画像データ同一判定部１０９は、２つのサブ記録先メディアの両方について、メイン記録先メディアの画像データとの同一を判定する。
【００４５】
画像データ同一判定部１０９は、判定結果が同一を示す場合、画像データ同一判定結果として”ＯＫ”を、同一でない場合は”ＮＧ”を、サブ記録先メディア毎に画像データ同一判定情報３０４として記憶部１０２に記憶する。メイン記録先メディアの記録先メディアチェック結果が”ＮＧ”を示す場合、全てのサブ記録先メディアの画像データ同一判定結果を”ＮＧ”とする。また、サブ記録先メディアの記録先メディアチェック結果が”ＮＧ”を示す場合、そのサブ記録先メディアの画像データ同一判定結果を”ＮＧ”とする。
【００４６】
主制御部１０１は、ステップＳ４０５，Ｓ４０６の結果に基づいて、ステップＳ２０７と同様に、転送属性を操作する（Ｓ４０７）。
【００４７】
このような制御により、同時記録に成功した場合には、メイン記録先メディアの画像データには未転送属性が設定され、サブ記録先メディアの画像データには転送済み属性が設定される。そして転送属性を参照した差分バックアップを行う際に、メイン記録先メディアの画像データには未転送属性が設定されているのでバックアップが行われ、サブ記録先メディアの画像データには転送済み属性が設定されているのでバックアップが行われない。このように、本実施例では、バックアップ時に、処理負荷の大きい画像データの同一判定やリスト検索処理を行う必要無しに、バックアップ対象画像データの転送属性を参照するだけで重複バックアップを防止できる。
【００４８】
更には、ステップＳ４０３で保存した同時記録サブ情報を利用することで、差分バックアップ時に、バックアップ対象外の画像データの存在をユーザに示すことができる。
【００４９】
同時記録に失敗した場合、本実施例では、メイン記録先メディアの画像データと記録失敗したサブ記録先メディアの画像データに未転送属性が設定され、記録成功したサブ記録先メディアの画像データには転送済み属性が設定される。転送属性を参照した差分バックアップを行う際に、メイン記録先メディアの画像データ及びサブ記録先メディアの画像データには共に未転送属性が設定されているので、両画像データ共にバックアップが行われる。しかし、同時記録に成功したサブ記録先メディアの画像データには転送済み属性が設定されているので、この画像データは、差分バックアップの際にバックアップされない。
【００５０】
このように、本実施例では、同時記録に失敗して異なる内容となった画像データを全てバックアップすることができ、同時記録に成功したサブ記録先メディアの画像データはバックアップされない。このような処理により、バックアップ先容量を節約でき、バックアップ時間を節約できる。
【００５１】
以上、本発明をその好適な実施例に基づいて詳述してきたが、本発明はこれら特定の実施例に限られるものではなく、この発明の要旨を逸脱しない範囲の様々な形態も本発明に含まれる。上述の実施例の一部を適宜組み合わせてもよい。
【図１】
2015220656.tif 000003
【図２】
2015220656.tif 000004
【図３】
2015220656.tif 000005
【図４】
2015220656.tif 000006